【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
通信端末装置と、無線キー装置と有し、少なくとも、当該通信端末装置と無線キー装置との間で無線通信を行うために第１の周期で無線接続を試みる第１の通信モードと、前記無線接続された場合、前記第１の周期よりも長い第２の周期で前記通信端末装置と無線キー装置との間で無線通信を行う第２の通信モードとを有する所定の無線通信方式で無線通信が可能な通信システムにおいて、
前記通信端末装置は、
前記所定の無線通信方式で前記無線キー装置と無線通信を行う第１の通信手段と、
当該通信端末装置の所定の機能を動作可能にする通常モードと、前記所定の機能の動作を制限する機能制限モードとを設定するモード設定手段と、
前記第１の通信手段が、前記無線キー装置と前記第２の通信モードに設定されて通信している場合には、前記モード設定手段を通常モードに設定し、前記第１の通信モードに設定されて通信している場合には、前記モード設定手段を機能制限モードに設定するよう制御する第１の制御手段と、を備え、
前記無線キー装置は、
前記所定の無線通信方式で前記通信端末装置と無線通信を行う第２の通信手段と、
所定の警告動作を行うための第１の警告手段と、
前記第２の通信手段が前記第２の通信モードから前記第１の通信モードに設定変更された場合に、警告動作をするよう前記警告手段を制御する第２の制御手段とを備えた
通信システム。
【請求項２】
請求項１記載の通信システムにおいて、
前記通信端末装置は、前記第１の通信手段とは別に、所定の基地局と電話通信用の無線通信を行う電話通信用通信手段を備えた
通信システム。
【請求項３】
請求項１記載の通信システムにおいて、
前記通信端末装置は、所定の警告動作を行うための第２の警告手段と、
計時手段を備え、
前記通信端末装置の第１の制御手段は、前記通信モードの設定が、前記第２の通信モードから前記第１の通信モードに設定変更された場合に、前記計時手段を制御して計時を行い、当該計時手段が所定の期間を計時するまでは、前記所定の期間警告動作するよう前記第２の警告手段を制御し、所定の期間を計時した後は、機能制限モードに設定するよう前記モード設定手段を制御する
通信システム。
【請求項４】
請求項１記載の通信システムにおいて、
前記所定の無線通信方式は、前記第１の通信モードにおいて前記無線接続がされない場合に移行する第３の通信モードを有し、
前記通信端末装置の第１の制御手段は、前記第３の通信モードが設定されている場合にも、機能制限モードを設定するよう前記モード設定手段を制御する
通信システム。
【請求項５】
請求項１記載の通信システムにおいて、
前記無線キー装置は、操作手段を備え、
前記無線キー装置の第２の通信手段は、送信電力を少なくとも２段階に設定可能な送信電力増幅手段を有し、
前記無線キー装置の第２の制御手段は、前記操作手段が操作された場合に、前記送信電力増幅手段の送信電力を一時的に大きい方の電力に設定するよう前記第２の通信手段を制御する
通信システム。
【請求項６】
請求項１記載の通信システムにおいて、
前記通信端末装置は、所定の警告動作を行うための第２の警告手段を備え、
前記無線キー装置の第２の制御手段は、前記無線キー装置の送信電力増幅手段の送信電力を大きい方の電力に設定した状態で、前記通信端末装置の第２の警告手段を動作させるためのデータを送信するよう前記第２の通信手段を制御する
通信システム。
【請求項７】
請求項１記載の通信システムにおいて、
前記無線キー装置は、モード表示手段を備え、
前記無線キー装置の第２の制御手段は、前記モード表示手段に、前記通常モード、前記機能制限モード、及び、前記警告モードのうち設定されているモードを示す情報を表示するよう制御する
通信システム。
【請求項８】
請求項１記載の通信システムにおいて、
前記通信端末装置は、第１の接続手段を備え、
前記無線キー装置は、前記通信端末装置の第１の接続手段と直接接続されるための第２の接続手段を備え、
前記通信端末装置の第１の接続手段は、前記第１及び第２の接続手段が直接接続された場合には、前記第１及び第２の接続手段を介して、前記通信端末装置の電力を前記無線キー装置の電源手段に供給するよう制御する
通信システム。
【請求項９】
通信端末装置と、無線キー装置と有し、少なくとも、当該通信端末装置と無線キー装置との間で無線通信を行うために第１の周期で無線接続を試みる第１の通信モードと、前記無線接続された場合、前記第１の周期よりも長い第２の周期で前記通信端末装置と無線キー装置との間で無線通信を行う第２の通信モードとを有する所定の無線通信方式で無線通信が可能な通信システムにおいて、
前記通信端末装置は、
前記所定の無線通信方式で前記無線キー装置と無線通信を行う第１の通信手段と、
当該通信端末装置の所定の機能を動作可能にする通常モードと、前記所定の機能の動作を制限する機能制限モードとを設定するモード設定手段と、
前記第１の通信手段が、前記無線キー装置と前記第２の通信モードに設定されて通信している場合には、前記モード設定手段を通常モードに設定し、前記第１の通信モードに設定されて通信している場合には、前記モード設定手段を機能制限モードに設定するよう制御する第１の制御手段と、を備え、
前記無線キー装置は、
前記所定の無線通信方式で前記通信端末装置と無線通信を行う第２の通信手段と、
所定の警告動作を行うための第１の警告手段と、
前記第２の通信手段が、前記第２の通信モードに設定された状態で前記第２の周期に基づいて前記通信端末装置へ送信した所定の信号に対する応答信号を受信したか否かを判断する判断手段と、
前記判断手段が前記応答信号を受信しないと判断した場合であって、所定の期間経過していない場合には、前記所定の期間警告動作するよう前記第１の警告手段を制御し、前記所定の期間経過した場合には、前記第１の通信モードに設定するよう前記第２の通信手段を制御する第２の制御手段を備えた
通信システム。
【請求項１０】
請求項９記載の通信システムにおいて、
前記通信端末装置は、
所定の警告動作を行うための第２の警告手段と、
前記第１の通信手段が、前記第２の通信モードに設定された状態で前記第２の周期に基づいて前記通信端末装置から送信される所定の信号を受信したか否かを判断する判断手段と、を備え、
前記第１の制御手段は、前記判断手段が所定の信号を受信したと判断した場合には、前記応答信号を前記無線キー装置に送信するよう前記第１の通信手段を制御し、前記判断手段が所定の信号を受信していないと判断した場合であっても、所定の期間経過していない場には、前記第２の警告手段が前記所定の期間動作する警告モードを設定し、前記所定の期間経過した場合には、通信モードを第１の通信モードに設定する
通信システム。
【請求項１１】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な通信端末装置において、
前記所定の無線通信方式で前記相手の装置と無線通信を行う通信手段と、
当該通信端末装置の所定の機能を動作可能にする通常モードと、前記所定の機能の動作を制限する機能制限モードとを設定するモード設定手段と、
前記通信手段が、前記相手の装置と前記第２の通信モードに設定されて通信している場合には、前記モード設定手段を通常モードに設定し、前記第１の通信モードに設定されて通信している場合には、前記モード設定手段を機能制限モードに設定するよう制御する制御手段とを備えた
通信端末装置。
【請求項１２】
請求項１１記載の通信端末装置において、
前記通信手段とは別に、所定の基地局と電話通信用の無線通信を行う電話通信用通信手段を備えた
通信端末装置。
【請求項１３】
請求項１１記載の通信端末装置において、
所定の警告動作を行うための警告手段と、
計時手段を備え、
前記制御手段は、前記通信モードの設定が、前記第２の通信モードから前記第１の通信モードに設定変更された場合に、前記計時手段を制御して計時を行い、当該計時手段が所定の期間を計時するまでは、前記所定の期間警告動作するよう前記警告手段を制御し、所定の期間を計時した後は、機能制限モードに設定するよう前記モード設定手段を制御する
通信端末装置。
【請求項１４】
請求項１１記載の通信端末装置において、
前記所定の無線通信方式は、前記第１の通信モードにおいて前記無線接続がされない場合に移行する第３の通信モードを有し、
前記制御手段は、前記第３の通信モードが設定されている場合にも、機能制限モードを設定するよう前記モード設定手段を制御する
通信端末装置。
【請求項１５】
請求項１１記載の通信端末装置において、
前記相手の装置と直接接続されるための接続手段を備え、
前記接続手段は、前記接続手段が直接接続された場合には、前記接続手段を介して、当該通信端末装置の電力を前記相手の装置の電源手段に供給するよう制御する
通信端末装置。
【請求項１６】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な無線キー装置において、
前記所定の無線通信方式で前記相手の装置と無線通信を行う通信手段と、
所定の警告動作を行うための警告手段と、
前記通信手段が前記第２の通信モードから前記第１の通信モードに設定変更された場合に、警告動作をするよう前記警告手段を制御する制御手段とを備えた
無線キー装置。
【請求項１７】
請求項１６記載の無線キー装置において、
操作手段を備え、
前記通信手段は、送信電力を少なくとも２段階に設定可能な送信電力増幅手段を有し、
前記制御手段は、前記操作手段が操作された場合に、前記送信電力増幅手段の送信電力を一時的に大きい方の電力に設定するよう前記通信手段を制御する
無線キー装置。
【請求項１８】
請求項１７記載の無線キー装置において、
前記制御手段は、前記送信電力増幅手段の送信電力を大きい方の電力に設定した状態で、前記相手の装置が備える第２の警告手段を動作させるためのデータを送信するよう前記通信手段を制御する
無線キー装置。
【請求項１９】
請求項１６記載の無線キー装置において、
モード表示手段を備え、
前記制御手段は、前記モード表示手段に、前記相手の装置の状態である通常モード、前記機能制限モード、及び、前記警告モードのうち設定されているモードを示す情報を表示するよう制御する
無線キー装置。
【請求項２０】
請求項１６記載の無線キー装置において、
相手の装置と直接接続されるための接続手段を備え、
前記制御手段は、前記接続手段が直接接続された場合には、前記接続手段を介して、前記相手の装置から供給される電力を電源手段で充電するよう制御する
無線キー装置。
【請求項２１】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な無線キー装置において、
前記所定の無線通信方式で前記相手の装置と無線通信を行う通信手段と、
所定の警告動作を行うための警告手段と、
前記通信手段が、前記第２の通信モードに設定された状態で前記第２の周期に基づいて前記相手の装置へ送信した所定の信号に対する応答信号を受信したか否かを判断する判断手段と、
前記判断手段が前記応答信号を受信しないと判断した場合であって、所定の期間経過していない場合には、前記所定の期間警告動作するよう前記警告手段を制御し、前記所定の期間経過した場合には、前記第１の通信モードに設定するよう前記通信手段を制御する制御手段を備えた
無線キー装置。
【請求項２２】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な通信端末装置にインストールされるプログラムにおいて、
前記所定の無線通信方式で前記相手の装置と無線通信を行う通信処理と、
当該通信端末装置の所定の機能を動作可能にする通常モードと、前記所定の機能の動作を制限する機能制限モードとを設定するモード設定処理と、
前記通信処理で、前記相手の装置と前記第２の通信モードに設定されて通信している場合には、前記モード設定手段を通常モードに設定し、前記第１の通信モードに設定されて通信している場合には、前記モード設定処理で機能制限モードに設定するよう制御する制御処理とを備えた
プログラム。
【請求項２３】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な通信端末装置において、
前記所定の無線通信方式で前記相手の装置と無線通信を行う通信回路と、
当該通信端末装置の所定の機能を動作可能にする通常モードと、前記所定の機能の動作を制限する機能制限モードとを設定するモード設定部と、
前記通信回路が、前記相手の装置と前記第２の通信モードに設定されて通信している場合には、前記モード設定部を通常モードに設定し、前記第１の通信モードに設定されて通信している場合には、前記モード設定部を機能制限モードに設定するよう制御する制御部とを備えた
通信端末装置。
【請求項２４】
少なくとも、通信する相手の装置と無線通信を行うために第１の周期で無線接続を試みる第１の通信モードと、前記無線接続された場合、前記第１の周期よりも長い第２の周期で前記相手の装置と無線通信を行う第２の通信モードとを有する所定の無線通信方式で無線通信が可能な無線キー装置において、
前記所定の無線通信方式で前記相手の装置と無線通信を行う通信回路と、
所定の警告動作を行うための警告部と、
前記通信回路が前記第２の通信モードから前記第１の通信モードに設定変更された場合に、警告動作をするよう前記警告部を制御する制御部とを備えた
無線キー装置。
【手続補正２】
【補正対象書類名】明細書
【補正対象項目名】００２４
【補正方法】変更
【補正の内容】
【００２４】
以下、本発明の一実施の形態を、図１〜図１９を参照して説明する。
本例においては、携帯電話端末装置と無線通信を行う無線キー装置を用意して、携帯電話端末装置のセキュリティロックを、両者の無線通信状態で行うようにしたものである。
【手続補正３】
【補正対象書類名】明細書
【補正対象項目名】００６６
【補正方法】変更
【補正の内容】
【００６６】
図１２は、図１１のフローチャートの処理が行われているマスタとなった機器（無線キー装置５０）と、図１０のフローチャートの処理が行われているスレーブとなった機器（携帯電話端末装置１０）との通信状態の例を示した図である。図１２（ａ）は、マスタ（無線キー装置５０）のページ信号の送信タイミングとアイドル期間を示し、図１２（ｂ）は、スレーブ（携帯電話端末装置１０）の受信（スキャン）タイミングとアイドル期間を示したものである。図１２に示すように、送信側のアイドル期間と受信側のアイドル期間は異なり、受信側でいずれかのタイミングで送信されるページ信号を受信できるようにしてある。